(57)【要約】【課題】  作業対象のクロージャを特定するために、大型の設備を不要にし、また、作業者の負担になることもなく、しかも、事前準備を不要にする、作業対象クロージャの表示システムおよび表示方法を提供する。【解決手段】  光ケーブル網のクロージャ２０１〜２０ｎを選択するための選択手段を具備し、選択されたクロージャを識別するための識別光を発光する表示制御装置１０と、クロージャ２０１〜２０ｎに設けられ、受光した識別光により点灯する表示装置３０と、光ケーブルの未使用の光ファイバ２０１２１を用いて、表示制御装置１０とクロージャ２０１〜２０ｎとの間を接続すると共に識別光を伝送する第１の光伝送路網とを備え、表示制御装置１０は選択されたクロージャの表示装置に対して、第１の光伝送路網を経て識別光を出力し、クロージャの表示装置３０は第１の光伝送路網を経てクロージャに伝送された識別光を受光する。【選択図】  図１
2010199948.tif 000002
【特許請求の範囲】
【請求項１】
光ケーブルがクロージャを経て接続されて構成される光ケーブル網に用いられる、作業対象クロージャの表示システムであって、
前記光ケーブル網のクロージャを選択するための選択手段を具備し、選択されたクロージャを識別するための識別光を発光する表示制御装置と、
前記クロージャに設けられ、受光した識別光により点灯する表示装置と、
前記光ケーブルの未使用の光ファイバを用いて、前記表示制御装置と前記各クロージャとの間を接続すると共に識別光を伝送する第１の光伝送路網と、
を備え、前記表示制御装置は前記選択手段で選択されたクロージャの表示装置に対して、前記第１の光伝送路網を経て識別光を出力し、該クロージャの表示装置は該第１の光伝送路網を経て該クロージャに伝送された識別光を受光する、
ことを特徴とする作業対象クロージャの表示システム。
【請求項２】
前記第１の光伝送路網は、前記各光ケーブルの未使用の光ファイバで前記表示制御装置と前記クロージャの表示装置との間がそれぞれ接続されて形成される、前記各クロージャに専用の光伝送路から成り、
前記表示制御装置は、前記選択手段によって選択されたクロージャに専用の光伝送路に対して、識別光を出力する、
ことを特徴とする請求項１に記載の作業対象クロージャの表示システム。
【請求項３】
前記第１の光伝送路網は、前記各光ケーブルの未使用の光ファイバで前記表示制御装置と前記各クロージャとの間が順次に接続されて形成される、前記各クロージャに共用の光伝送路であり、
前記表示制御装置は、選択手段によって選択されたクロージャにあらかじめ設定された波長の識別光を、前記共用の光伝送路に出力し、
前記クロージャは、前記共用の光伝送路から識別光を受光すると、該クロージャにあらかじめ設定された波長の光を、該識別光から分波して前記表示装置に出力する分波手段を備える、
ことを特徴とする請求項１に記載の作業対象クロージャの表示システム。
【請求項４】
前記クロージャに設けられ、該クロージャの表示装置に送られる識別光を分波して応答光を生成する応答手段と、
前記表示制御装置に設けられ、受光した応答光に応じて、前記選択手段で選択されたクロージャの開閉状態を表示する表示手段と、
前記光ケーブルの未使用の光ファイバを用いて、前記各表示装置と前記表示制御装置との間を接続すると共に応答光を伝送する第２の光伝送路網と、
を備え、前記クロージャの応答手段は該クロージャの開閉に応じて前記応答光を前記第２の光伝送路網に出力し、前記表示制御装置は前記第２の光伝送路網から応答光を受光する、
ことを特徴とする請求項１〜３のいずれか１項に記載の作業対象クロージャの表示システム。
【請求項５】
光ケーブルがクロージャを経て接続されて構成される光ケーブル網に用いられる、作業対象クロージャの表示方法であって、
前記光ケーブル網のクロージャを選択し、
選択されたクロージャを識別するための識別光を、前記光ケーブルの未使用の光ファイバを用いて該クロージャに送り、
識別光を受光すると、受光した識別光によりクロージャを点灯させる、
ことを特徴とする作業対象クロージャの表示方法。
【発明の詳細な説明】
【技術分野】
【０００１】
この発明は、光ネットワークでの作業時に用いられる、作業対象クロージャの表示システムおよび表示方法に関する。
【背景技術】
【０００２】
光ネットワークでは、光ケーブルの分岐点などにクロージャが用いられている。この結果、光ネットワークには多数のクロージャが設置されている。こうした状態で、例えば光ケーブルの幹線から支線を分岐する場合、作業者が現場に行き、作業資料等を参照して作業対象のクロージャを探し、作業対象クロージャを特定する必要がある。このために、現場での作業性がよくない。作業対象クロージャの特定作業などを効率よく行うために、例えばネットワークの管理システムがある（例えば、特許文献１参照。）。
【０００３】
このシステムでは、各クロージャを識別するための識別情報をＩＣタグに記録し、このＩＣタグを各クロージャに添付しておく。一方、センターにはセンターサーバを設置し、このサーバには各クロージャの識別情報に対応した設備情報を記録しておく。そして、現場に到着した作業者が、手持ち用の副携帯端末を操作してクロージャのＩＣタグから識別情報を読み取り、別の作業者がパソコンのような携帯端末を操作して副携帯端末から識別情報を受信し、この識別情報をセンターサーバに送信する。これにより、携帯端末がセンターサーバから設備情報を受信し、副携帯端末に設備情報を送信する。副携帯端末は受信した設備情報を表示するので、作業者が電柱上にあっても、クロージャが作業対象であるかどうかの判別等が、副携帯端末を用いて行われる。
【先行技術文献】
【特許文献】
【０００４】
【特許文献１】特開２００８−１５８６４８号公報
【発明の概要】
【発明が解決しようとする課題】
【０００５】
ところで、先に述べたシステムには次の課題がある。このシステムでは、現場の副携帯端末に情報を送るために、センターにサーバや通信装置などの大型の設備を新たに設置する必要がある。また、現場では、携帯端末や副携帯端末を持ち運ぶ必要があり、作業者の負担が増加する。さらに、携帯端末や副携帯端末を動作させるための電源も用意する必要があり、例えば、これらの端末がバッテリーで動作する場合には、前もって各端末を充電しておく必要がある。つまり、先のシステムでは事前の準備が必要となる。
【０００６】
この発明の目的は、前記の課題を解決し、作業対象のクロージャを特定するために、大型の設備を不要にし、また、作業者の負担になることもなく、しかも、事前準備を不要にする、作業対象クロージャの表示システムおよび表示方法を提供することにある。
【課題を解決するための手段】
【０００７】
前記の課題を解決するために、請求項１の発明は、光ケーブルがクロージャを経て接続されて構成される光ケーブル網に用いられる、作業対象クロージャの表示システムであって、前記光ケーブル網のクロージャを選択するための選択手段を具備し、選択されたクロージャを識別するための識別光を発光する表示制御装置と、前記クロージャに設けられ、受光した識別光により点灯する表示装置と、前記光ケーブルの未使用の光ファイバを用いて、前記表示制御装置と前記各クロージャとの間を接続すると共に識別光を伝送する第１の光伝送路網と、を備え、前記表示制御装置は前記選択手段で選択されたクロージャの表示装置に対して、前記第１の光伝送路網を経て識別光を出力し、該クロージャの表示装置は該第１の光伝送路網を経て該クロージャに伝送された識別光を受光する、ことを特徴とする作業対象クロージャの表示システムである。
【０００８】
請求項１の発明では、光ケーブルの未使用の光ファイバを用いて、表示制御装置と各クロージャの表示装置との間をあらかじめ接続して第１の光伝送路網を形成する。この第１の光伝送路網により、識別光が表示制御装置から表示装置に伝送される。こうした状態のときに、表示制御装置は、選択手段で選択されたクロージャを識別するための識別光を発光し、第１の光伝送路網を経て、このクロージャに送る。このクロージャが識別光を受光すると、表示装置はクロージャが受光した識別光で点灯する。
【０００９】
請求項２の発明は、請求項１に記載の作業対象クロージャの表示システムにおいて、前記第１の光伝送路網は、前記各光ケーブルの未使用の光ファイバで前記表示制御装置と前記クロージャの表示装置との間がそれぞれ接続されて形成される、前記各クロージャに専用の光伝送路から成り、前記表示制御装置は、前記選択手段によって選択されたクロージャに専用の光伝送路に対して、識別光を出力する、ことを特徴とする。
【００１０】
請求項３の発明は、請求項１に記載の作業対象クロージャの表示システムにおいて、前記第１の光伝送路網は、前記各光ケーブルの未使用の光ファイバで前記表示制御装置と前記各クロージャとの間が順次に接続されて形成される、前記各クロージャに共用の光伝送路であり、前記表示制御装置は、選択手段によって選択されたクロージャにあらかじめ設定された波長の識別光を、前記共用の光伝送路に出力し、前記クロージャは、前記共用の光伝送路から識別光を受光すると、該クロージャにあらかじめ設定された波長の光を、該識別光から分波して前記表示装置に出力する分波手段を備える、ことを特徴とする。
【００１１】
請求項４の発明は、請求項１〜３のいずれか１項に記載の作業対象クロージャの表示システムにおいて、前記クロージャに設けられ、該クロージャの表示装置に送られる識別光を分波して応答光を生成する応答手段と、前記表示制御装置に設けられ、受光した応答光に応じて、前記選択手段で選択されたクロージャの開閉状態を表示する表示手段と、前記光ケーブルの未使用の光ファイバを用いて、前記各表示装置と前記表示制御装置との間を接続すると共に応答光を伝送する第２の光伝送路網と、を備え、前記クロージャの応答手段は該クロージャの開閉に応じて前記応答光を前記第２の光伝送路網に出力し、前記表示制御装置は前記第２の光伝送路網から応答光を受光する、ことを特徴とする。
【００１２】
請求項５の発明は、光ケーブルがクロージャを経て接続されて構成される光ケーブル網に用いられる、作業対象クロージャの表示方法であって、前記光ケーブル網のクロージャを選択し、選択されたクロージャを識別するための識別光を、前記光ケーブルの未使用の光ファイバを用いて該クロージャに送り、識別光を受光すると、受光した識別光によりクロージャを点灯させる、ことを特徴とする作業対象クロージャの表示方法である。
【発明の効果】
【００１３】
請求項１および請求項５の発明によれば、表示制御装置で選択されたクロージャについては、このクロージャに設けられている表示装置が点灯するので、クロージャの特定を可能にする。この場合、スイッチのような選択手段と識別光を発光するための手段とを備える表示制御装置と、識別光により点灯する表示装置とが必要であるので、従来のような大型の設備が不要である。また、特定されたクロージャ、例えば作業対象のクロージャは表示制御装置からの識別光により点灯するので、視認によるクロージャの識別を可能にし、従来のように端末等の準備および携帯を不要にすることができ、しかも、現場の作業者に対する負担が増加することを防ぐことができる。
【００１４】
請求項２の発明によれば、表示制御装置と表示装置とがそれぞれ光ファイバで接続されているので、識別光として単一の光が利用可能であり、表示制御装置の構成を簡単にすることができる。
【００１５】
請求項３の発明によれば、識別光が光多重化されるので、単一の光ファイバにより第１の光伝送路網を構成することができ、識別光の伝送に使用する光ファイバの本数を大幅に減らすことができる。
【００１６】
請求項４の発明によれば、クロージャの開閉状態を表示制御装置が表示するので、現場での作業が行われているかどうかを、表示制御装置により確認することができる。
【図面の簡単な説明】
【００１７】
【図１】実施の形態１による作業対象クロージャの表示システムを示す構成図である。
【図２】クロージャを示す部分断面図である。
【図３】表示装置の一例を示す断面図である。
【図４】表示装置の他例を示す断面図である。
【図５】表示装置の他例を示す断面図である。
【図６】表示装置の他例を示す断面図である。
【図７】表示装置の他例を示す断面図である。
【図８】表示制御装置を含む局側の装置を示す構成図である。
【図９】表示装置の変形例を示す断面図である。
【図１０】実施の形態２によるクロージャの構成を示す構成図である。
【図１１】オンオフスイッチの取り付けの様子を示す図であり、図１１（ａ）はクロージャの断面図であり、図１１（ｂ）は部分拡大図である。
【図１２】オンオフスイッチおよび光スイッチの動作を示す図である。
【図１３】実施の形態２による制御局を示す構成図である。
【図１４】実施の形態３によるクロージャの構成を示す構成図である。
【図１５】実施の形態３による制御局を示す構成図である。
【図１６】実施の形態４によるクロージャの構成を示す構成図である。
【図１７】実施の形態４による制御局を示す構成図である。
【図１８】実施の形態５による作業対象クロージャの表示システムを示す構成図である。
【発明を実施するための形態】
【００１８】
次に、この発明の実施の形態について、図面を用いて詳しく説明する。
【００１９】
（実施の形態１）
この実施の形態による作業対象クロージャの表示システムを図１に示す。このシステムは、光通信を利用したサービスを、加入者宅１０１〜１０２に提供する光ネットワークに対して、用いられている。光ネットワークには制御局が設置され、この制御局の局側装置１が、光ネットワークを利用する加入者宅１０１〜１０２と、例えば音声通信やデータ通信を可能にする通信網１１０との接続や、加入者宅１０１〜１０２間の接続をする。制御局としては、光通信を管理するネットワークオペレーションセンター（ＮＯＣ：Ｎｅｔｗｏｒｋ  Ｏｐｅｒａｔｉｏｎｓ  Ｃｅｎｔｅｒ）などが該当する。光ネットワークでは、光ケーブル網２が制御局の局側装置１と加入者宅１０１〜１０２との間を接続している。光ケーブル網２は、例えば、光ケーブルの幹線２Ａや、幹線２Ａから分岐された分岐線２Ｂなどからなり、幹線２Ａや分岐線２Ｂなどの光ケーブルの分岐点には、クロージャ２０１〜２０ｎが設置されている。
【００２０】
クロージャ２０１〜２０ｎは、同一または類似したものであり、クロージャの代表例を図２に示す。図２のクロージャ２０は電柱間に掛け渡されている吊り線２１に固定されている。クロージャ２０は、長板状の基体２１Ａの両端に端面板２１Ｂ、２１Ｃが設けられ、端面板２１Ｂと端面板２１Ｃとの間を防水等のために、基体２１Ａを覆うカバー２１Ｄ、２１Ｅが設けられている。カバー２１Ｅは基体２１Ａに固定され、カバー２１Ｄはカバー２１Ｅに対して取り外し可能である。端面板２１Ｂ、２１Ｃはゴム等の弾性体で作られ、端面板２１Ｂ、２１Ｃには、幹線２Ａや分岐線２Ｂなどに該当する光ケーブル２０１０を通すための、複数の貫通穴が空けられている。また、クロージャ２０の内部には、光ケーブル２０１０の各心線２０１１、２０１２の余長などをそれぞれ収納するトレイ２１Ｆが積層されて設置されている。この実施の形態では、光ケーブル２０１０の各心線２０１１が、光ケーブル網２を用いた光通信に利用され、各心線２０１２が光通信で未使用の状態にある。なお、心線２０１１および心線２０１２は、単一の光ファイバからなる場合、または、複数の光ファイバからなる場合がある。
【００２１】
こうした光ネットワークに用いられている、この実施の形態による作業対象クロージャの表示システムは、制御局に設置されている表示制御装置１０と、クロージャ２０１〜２０ｎに設置されている表示装置３０とを備えている。また、この実施の形態では、クロージャ２０１〜２０ｎの識別用として、幹線２Ａや分岐線２Ｂなどの光ケーブル２０１０の心線２０１２が用いられている。具体的には、クロージャ２０１〜２０ｎで用いられる心線２０１２は、光ケーブル２０１０が持つ複数の心線の１つであり、光通信に使用されていない未使用のものである。この実施の形態では、幹線２Ａや分岐線２Ｂなどの光ケーブル２０１０には未使用の心線２０１２があり、光ケーブル網２に設置されているクロージャ２０１〜２０ｎに、未使用の心線２０１２からｎ本の光ファイバ２０１２１がそれぞれ利用される。例えばクロージャ２０１には、未使用のｎ本の光ファイバ２０１２１の中から、１番目の光ファイバ２０１２１が利用される。同じようにして、２番目からｎ番目の光ファイバ２０１２１が、光ケーブル網２に設置されているクロージャ２０２〜２０ｎでそれぞれ利用される。つまり、１番目〜ｎ番目の未使用の光ファイバ２０１２１が、クロージャ２０１〜２０ｎでそれぞれ専用に利用される光伝送路網を形成する。
【００２２】
作業対象クロージャの表示システムの表示装置３０は、クロージャ２０１〜２０ｎにそれぞれ設けられている。表示装置３０は、クロージャに対する作業の際に点灯することにより、作業対象クロージャを表示する。表示装置３０の一例を図３に示す。図３の表示装置３０は、クロージャ２０の一方の端面板２１Ｃの外側に取り付けられている。なお、クロージャ２０は、クロージャ２０１〜２０ｎを代表するものである。表示装置３０は箱状のケース３１Ａを備えている。ケース３１Ａは端面板２１Ｃに接着剤等で固定される。端面板２１Ｃに空けられている１つの貫通穴２１Ｃ１に向かい合う位置に、ケース３１Ａの側板３１Ａ１に貫通穴３１Ａ１１が空けられている。さらに、ケース３１Ａの底板３１Ａ２に貫通穴３１Ａ２１が空けられている。貫通穴３１Ａ２１は地面と対向する位置に空けられて、貫通穴３１Ａ２１の開口部分が透明な板状のガラス３１Ａ３により密閉状態で塞がれている。なお、貫通穴３１Ａ２１の開口部分を塞ぐガラス３１Ａ３の代わりに、透明な合成樹脂板やレンズ等を用いてもよい。貫通穴３１Ａ２１の開口部分を塞ぐ構造により、開口部分に対して防水構造が形成され、防塵や雨滴対策が施されている。そして、貫通穴３１Ａ１１と貫通穴３１Ａ２１との間には、ガイド３１Ｂが設けられている。ガイド３１Ｂは、端面板２１Ｃの貫通穴２１Ｃ１を通り、側板３１Ａ１の貫通穴３１Ａ１１から出た光ファイバ２０１２１を、底板３１Ａ２の貫通穴３１Ａ２１に案内する。
【００２３】
こうした表示装置３０は、光ファイバ２０１２１が導いた識別光を、貫通穴３１Ｂ１から外部に向けて射出する。つまり、識別光により表示装置３０が点灯して、作業対象クロージャであることを表示する。
【００２４】
なお、表示装置３０としては図３に示す例の他にも各種あり、その一例を図４〜図７に示す。図４〜図６の表示装置３０は、図３に示す表示装置３０と同様に、クロージャ２０の外側に取り付けるタイプであり、図７に示す表示装置３０は、クロージャ２０の内側に取り付けるタイプである。
【００２５】
図４に示す表示装置３０は、ケース３１Ａの底板３１Ａ２に位置するガイド３１Ｂの先端に、発光装置３１Ｃを備えている。発光装置３１Ｃは、光ファイバ２０１２１から出力される光と異なる波長の光を放出でき、しかも、高い出力の光を発生する。こうした発光装置は、例えば特開２００８−１４７２８９号公報に記載されている。
【００２６】
図５に示す表示装置３０は、ケース３１Ａ内に、クロージャ２０からの光ファイバ２０１２１を固定する固定部材３１Ｄを、側板３１Ａ１に備えている。また、表示装置３０はケース３１Ａ内に凸面鏡３１Ｅを備えている。凸面鏡３１Ｅは、光ファイバ２０１２１から射出される光を拡散し、ケース３１Ａの底部に向けて反射する。なお、ケース３１Ａの底部は、図３の底板３１Ａ２が取り除かれて開放され、開口から拡散光がすべて射出する構造である。そして、開口部分は図３と同様の板状のガラス３１Ａ３により密閉されて塞がれ、防塵や雨滴対策が施されている。
【００２７】
図６に示す表示装置３０は、図５の表示装置３０で用いられている凸面鏡３１Ｅの代わりに、反射鏡３１Ｆと凹面レンズ３１Ｇとを用いて、光ファイバ２０１２１から射出される光を拡散し、ケース３１Ａの底部に向けて反射する。
【００２８】
図７に示す表示装置３０は、先に述べたように、クロージャ２０の内側に取り付けるタイプである。この表示装置３０は、図４の表示装置３０からケース３１Ａを取り除き、基体２１Ａおよびカバー２１Ｅに空けた貫通穴にガイド３１Ｂを固定した構造である。このとき、表示装置３０のガイド３１Ｂとカバー２１Ｅの貫通穴は密着状態で接着され、さらに、貫通穴の開口部分は図３と同様の板状のガラス３１Ａ３で塞がれている。これにより、クロージャ２０の防水構造が保たれている。こうした構造は、図３に示す表示装置３０も、クロージャ２０に対して同様に適用可能にする。
【００２９】
作業対象クロージャの表示システムの表示制御装置１０は、先に述べたように制御局に設置されている。この制御局に設置されている、表示制御装置１０を含む装置を図８に示す。制御局の局側装置１は接続ユニット１Ａと送受信装置１Ｂとを備え、表示制御装置１０は光源１１Ａと光切り替えスイッチ１１Ｂとを備えている。
【００３０】
局側装置１の接続ユニット１Ａは、幹線２Ａの各光ファイバを、別装置に接続可能に収容する装置である。このために、接続ユニット１Ａでは、各光ファイバにコネクタ（図示を省略）が接続されて終端され、多数のコネクタが箱状のユニット前面（図示を省略）に配列されている。送受信装置１Ｂは、加入者宅１０１〜１０２に接続されている光ファイバに、接続ユニット１Ａを経て接続されている。これにより、送受信装置１Ｂは、加入者宅１０１〜１０２と通信網１１０との間のデータ通信や音声通信や、加入者間の通信を可能にする。
【００３１】
表示制御装置１０の光源１１Ａは、クロージャの識別を行う際に使用する識別光を発生して、この識別光を光切り替えスイッチ１１Ｂに出力する。識別光は可視光であり、識別光には各種の色が使用できる。また、表示装置３０の発光装置３１Ｃ（図４）として、可視領域以外の光、例えば紫外光を可視光に変換するものが用いられている場合には、可視領域以外の光を使用できる。
【００３２】
光切り替えスイッチ１１Ｂは、ｎ個の端子１１Ｂ１〜１１Ｂｎを備え、光源１１Ａからの識別光をｎ個の端子１１Ｂ１〜１１Ｂｎの１つに出力する。出力の切り替えは、光切り替えスイッチ１１Ｂに設けられている操作部（図示を省略）を操作することで行われる。光切り替えスイッチ１１Ｂとしては、光源１１Ａからの識別光を光ファイバで受け、操作部で指定された端子に、この光ファイバを動かす方法がある。この他にも、光切り替えスイッチ１１Ｂとしては各種のものがあり、例えば、操作部で指定された端子に向けてミラーを回転することにより、光源１１Ａからの識別光を反射する方法がある。
【００３３】
光切り替えスイッチ１１Ｂのｎ個の端子１１Ｂ１〜１１Ｂｎは、光ファイバで接続ユニット１Ａにそれぞれ接続されている。つまり、ｎ個の端子１１Ｂ１〜１１Ｂｎは、接続ユニット１Ａを経て、幹線２Ａの未使用の光ファイバに接続されている。この実施の形態では、光通信に使用されていない未使用の光ファイバであって、クロージャ２０１〜１１Ｂｎの表示装置３０に利用されている１番目〜ｎ番目の光ファイバ２０１２１に、光切り替えスイッチ１１Ｂのｎ個の端子１１Ｂ１〜１１Ｂｎがそれぞれ接続されている。つまり、光切り替えスイッチ１１Ｂの端子１１Ｂ１〜１１Ｂｎは、１対１で、クロージャ２０１〜２０ｎに接続されている。
【００３４】
次に、実施の形態１による作業対象クロージャの表示システムを用いた、作業対象クロージャの表示方法について説明する。例えばクロージャ２０２に対して作業を行う場合、作業者が現場に到着する前に、クロージャ２０２が点灯するように、制御局の担当者が表示制御装置１０の光切り替えスイッチ１１Ｂを操作する。これにより、光源１１Ａからの識別光は、光切り替えスイッチ１１Ｂ、接続ユニット１Ａ、幹線２Ａの２番目の未使用の光ファイバ２０１２１を経て、クロージャ２０２で受光される。クロージャ２０２では、受光した識別光が表示装置３０に導かれる。クロージャ２０２の表示装置３０は、光源１１Ａからの識別光を受光すると、識別光を地表に向けて射出する。つまり、表示装置３０はクロージャ２０２が受光した識別光で点灯する。
【００３５】
こうした状態のときに、クロージャ２０２に対する作業を行う作業者が、現場に到着する。このとき、現場付近に複数のクロージャがあっても、表示装置３０が点灯しているクロージャ２０２と、他のクロージャとを視認により識別することができ、作業対象のクロージャ２０２を短時間で特定することができる。
【００３６】
また、クロージャ２０２と、他のクロージャとの視認性を高めるために、図９に示す表示装置３０を用いていてもよい。この表示装置３０には、内部に筒状の仕切り部屋３１Ａ４が形成されている。このために、ガイド３１Ｂの先端に、外側に突き出し部分３１Ｂ２を形成し、光ファイバ２０１２１を表示装置３０の間で支える構造にしている。つまり、筒状の仕切り部屋３１Ａ４の底部に光ファイバ２０１２１の先端が位置している。さらに、筒状の仕切り部屋３１Ａ４の壁面全体を黒に着色する。そして、仕切り部屋３１Ａ４の開口部分は図３と同様の板状のガラス３１Ａ３により密閉されて塞がれ、防塵や雨滴対策が施されている。こうした、表示装置３０により、昼間、太陽が照り付ける中でも、黒に着色された仕切り部屋３１Ａ４の内部で点灯する識別光の視認性を、一層高めることができる。
【００３７】
こうして、この実施の形態によれば、作業対象のクロージャを特定するために、制御局には光源１１Ａと光切り替えスイッチ１１Ｂとを設置すればよいので、大型の設備を不要にすることができる。また、作業現場に向かう作業者は専用の携帯端末などを所持する必要がないので、作業者の負担になることがなく、携帯端末の充電等の事前準備を不要にすることもできる。現場では作業対象クロージャが点灯するので、作業対象クロージャの視認を可能にする。しかも、表示装置３０は制御局に設置されている光源１１Ａからの識別光で点灯するので、表示装置３０に対し無給電で、表示装置３０の動作が可能である。
【００３８】
（実施の形態２）
この実施の形態による作業対象クロージャの表示システムは、実施の形態１のシステムに対して、クロージャ作業の開始を制御局に伝える機能を持つ。このために、この実施の形態では、光通信に使用されていない未使用の、ｎ＋１番目〜２ｎ番目の光ファイバ２０１２１を新たに利用して、光伝送路網を形成する。つまり、この実施の形態では、１つのクロージャに対して、未使用の２本の光ファイバ２０１２１を用いる。例えば、クロージャ２０１では、１番目の光ファイバ２０１２１とｎ＋１番目の光ファイバ２０１２１とを用いる。なお、この実施の形態では、先に説明した実施の形態１と同一もしくは同一と見なされる構成要素には、それと同じ参照符号を付けて、その説明を省略する。
【００３９】
この実施の形態によるクロージャ２０を図１０に示す。クロージャ２０は、実施の形態１で用いられている表示装置３０に加えて、光分岐器２２Ａ、２２Ｂと、光電変換素子２２Ｃと、光スイッチ２２Ｄと、オンオフスイッチ２２Ｅとを備えている。
【００４０】
光分岐器２２Ａは入射された光の分岐をする。光分岐器２２Ａには、光ファイバ２０１２１から識別光が入射され、入射された識別光は光分岐器２２Ａによって２波に分岐されて出力される。光分岐器２２Ａの具体例としては、プリズム、誘導体多層膜フィルタ、回折格子、融着延伸部を持つ光ファイバ、光導波路、光導波路と誘導体多層膜フィルタとを用いたもの、ファイバグレーティング等がある。光分岐器２２Ａにより２波に分岐された識別光は、光電変換素子２２Ｃおよび光スイッチ２２Ｄにそれぞれ入射される。
【００４１】
光電変換素子２２Ｃは、入射される識別光に応じた電圧を出力する変換素子である。光電変換素子２２Ｃの具体例としては、フォトダイオード（ＰＤ：Ｐｈｏｔｏ  Ｄｉｏｄｅ）、アバランシェフォトダイオード（ＡＰＤ：Ａｖａｌａｎｃｈｅ  Ｐｈｏｔｏ  Ｄｉｏｄｅ）、シリコン系や化合物半導体系の太陽電池等がある。光電変換素子２２Ｃが出力する電圧は、制御電圧としてオンオフスイッチ２２Ｅに加えられる。つまり、識別光が入射されると、光電変換素子２２Ｃは電圧を発生し、この電圧を制御電圧としてオンオフスイッチ２２Ｅに加える。
【００４２】
オンオフスイッチ２２Ｅは、光電変換素子２２Ｃと光スイッチ２２Ｄの制御端子２２Ｄ１との間をオン・オフする、物理的な接点を持つスイッチである。オンオフスイッチ２２Ｅは、クロージャ２０に取り付けられている。この様子を図１１に示す。オンオフスイッチ２２Ｅは、クロージャ２０のカバー２１Ｄの有無に応じてオン・オフをする。つまり、カバー２１Ｄがストッパー２１Ｇによってカバー２１Ｅに固定されているときには、カバー２１Ｄに形成されている突起部分２１Ｄ１が、オンオフスイッチ２２Ｅの本体２２Ｅ１に押しボタン２２Ｅ２を押し込める。これにより、オンオフスイッチ２２Ｅはオフになる。また、ストッパー２１Ｇが取り外されて、カバー２１Ｄがカバー２１Ｅから外されると、オンオフスイッチ２２Ｅの本体２２Ｅ１から押しボタン２２Ｅ２が突出する。これにより、オンオフスイッチ２２Ｅはオンになる。つまり、図１２に示すように、オンオフスイッチ２２Ｅは、クロージャ２０が閉じられている状態のときにオフとなり、制御電圧を光スイッチ２２Ｄに出力しない。また、クロージャ２０が開けられている状態のときにオンとなり、制御電圧を光スイッチ２２Ｄに出力する。なお、図１１で符号２１Ｈはクロージャ２０を吊り線２１に固定するためのフックである。
【００４３】
光スイッチ２２Ｄは、光を通す光路を内部に持ち、制御端子２２Ｄ１に加えられる制御電圧に応じて、光路のオンオフを行う。制御端子２２Ｄ１に制御電圧が入力されていない状態で、光スイッチ２２Ｄは、光分岐器２２Ａから入射された識別光を出力光とし、制御端子２２Ｄ１に制御電圧が入力されている状態で、出力光を出さない。このように動作する光スイッチ２２Ｄの具体例としては、光ファイバやプリズムなどの光学素子を機械的に制御して光路の切り替えを行う機械的光スイッチ、電気光学効果や音響光学効果、熱光学効果等を利用して光路の切り替えを行う非機械的光スイッチ等がある。光スイッチ２２Ｄにより出力制御された識別光は、光分岐器２２Ｂに入射される。つまり、光スイッチ２２Ｄは、先の図１２に示すように、クロージャ２０が閉じられている状態のときに、光分岐器２２Ａからの識別光を光分岐器２２Ｂに出力し、クロージャ２０が開けられている状態のときに、識別光を光分岐器２２Ｂに出力しない。
【００４４】
光分岐器２２Ｂは光分岐器２２Ａと同様である。つまり、光スイッチ２２Ｄから識別光を受光すると、この光を分岐し、光ファイバ２０１２１を経由して一方を応答光として制御局に送り、他方を表示装置３０に送る。なお、識別光を伝える光ファイバ２０１２１は１番目のものであり、応答光を伝える光ファイバ２０１２１はｎ＋１番目のものであるので、これらは別のものである。そして、この実施の形態では、ｎ＋１番目から２ｎ番目の光ファイバ２０１２１を用いて、クロージャ２０１〜２０ｎが応答光を制御局にそれぞれ送る。
【００４５】
制御局の表示制御装置１０には、作業対象クロージャの開閉の様子を表示する機能が付加されている。このために、表示制御装置１０は、実施の形態１の光源１１Ａと光切り替えスイッチ１１Ｂとに加えて、図１３に示すように、光切り替えスイッチ１２Ａと光電変換素子１２Ｂと表示装置１２Ｃとを備えている。
【００４６】
光切り替えスイッチ１２Ａは、光切り替えスイッチ１１Ｂと同様であるが、光切り替えスイッチ１２Ａの端子１２Ａ１〜１２Ａｎには、幹線２Ａの中で、未使用のｎ＋１番目〜２ｎ番目の光ファイバ２０１２１が接続されている。光切り替えスイッチ１２Ａは、操作部（図示を省略）を操作することにより、クロージャ２０１〜２０ｎに接続されているｎ＋１番目〜２ｎ番目の光ファイバ２０１２１の１つを選択し、光電変換素子１２Ｂに接続する。なお、光切り替えスイッチ１１Ｂの操作部と、スイッチ１２Ａの操作部とが連動するようにしてもよい。
【００４７】
光電変換素子１２Ｂは、クロージャ２０の光電変換素子２２Ｃと同様である。つまり、光電変換素子１２Ｂは、光切り替えスイッチ１２Ａから応答光を受光すると、この光を電圧に変換する。
【００４８】
表示装置１２Ｃは、光電変換素子１２Ｂの電圧の有無に応じて、例えば電圧が出力されていないときに、可視光を出力する。つまり、表示装置１２Ｃが点灯する。これにより、表示装置１２Ｃはクロージャの開状態を表示する。また、表示装置１２Ｃは、光電変換素子１２Ｂから電圧が出力されていると、可視光を出力しない。つまり、表示装置１２Ｃが消灯する。これにより、表示装置１２Ｃはクロージャの閉状態を表示する。このように、作業対象のクロージャ２０が開けられたときに、表示装置１２Ｃは点灯する。こうした表示装置１２Ｃは、例えば電源とアナログスイッチと発光ダイオードとの直列回路で形成される。そして、光電変換素子１２Ｂが電圧を出力すると、アナログスイッチがオフになり、発光ダイオードが消灯する。また、光電変換素子１２Ｂが電圧を出力しないと、アナログスイッチがオンになり、発光ダイオードが点灯する。なお、クロージャ開のときに、表示装置１２Ｃが消灯し、クロージャ閉のときに、表示装置１２Ｃが点灯するようにしてもよい。
【００４９】
次に、実施の形態２による作業対象クロージャの表示システムを用いた、作業対象クロージャの表示方法について説明する。例えばクロージャ２０２に対して作業を行う場合、作業者が現場に到着する前に、クロージャ２０２が点灯するように、制御局の担当者が表示制御装置１０の光切り替えスイッチ１１Ｂを操作し、また、クロージャ２０２に接続されているｎ＋２番目の光ファイバ２０１２１が光電変換素子１２Ｂに接続されるように、光切り替えスイッチ１２Ａを操作する。これにより、光源１１Ａからの識別光は、光切り替えスイッチ１１Ｂ、接続ユニット１Ａ、幹線２Ａの２番目の未使用の光ファイバ２０１２１を経て、クロージャ２０２で受光される。このときには、クロージャ２０２は、閉じられているので、受光した識別光を分岐して一方を表示装置３０に送り、他方を応答光として制御局に送る。これにより、クロージャ２０２の表示装置３０は点灯する。
【００５０】
制御局は応答光を受け取ると、この応答光により、表示装置１２Ｃが消灯する。これにより、制御局では、作業対象クロージャに対する作業が開始されていないことが表示される。
【００５１】
こうした状態のときに、作業者が現場に到着する。このとき、現場付近に複数のクロージャがあっても、表示装置３０が点灯しているクロージャ２０２と、他のクロージャとを視認により識別することができ、作業対象のクロージャ２０２を短時間で特定することができる。
【００５２】
作業者が作業対象クロージャ２０２を識別し、作業を開始するために、作業対象クロージャ２０２を開く。これにより、オンオフスイッチ２２Ｅがオンになり、光スイッチ２２Ｄがオフになって、識別光は表示装置３０および制御局に送られない。これにより、現場では表示装置３０が消灯する。制御局では、応答光が受光されないので、表示装置１２Ｃが点灯し、作業対象クロージャ２０２に対する作業が開始されたことが表示される。
【００５３】
こうして、この実施の形態によれば、制御局側では、作業対象クロージャに作業が実際に開始されたかどうかの作業状態を、表示させることができる。しかも、クロージャ２０では、機械式のオンオフスイッチ２２Ｅと光分岐器２２Ｂとを用いるので、クロージャ２０に対し無給電で作業状態の表示が可能である。
【００５４】
（実施の形態３）
先に述べた各実施の形態では、識別光を伝送していくために１番目〜ｎ番目の光ファイバ２０１２１を用いたが、この実施の形態では、光多重化により１本の光ファイバ２０１２１、例えば１番目の光ファイバ２０１２１を利用して、実施の形態１、２と同様の機能を実現する。このために、この実施の形態では、クロージャ２０１、２０２、…、２０ｎに、波長λ１、λ２、…、λｎの識別光がそれぞれ割り当てられている。このように異なる波長が前もって割り当てられているクロージャ２０は、図１４に示す構成になる。なお、この実施の形態では、先に説明した実施の形態１および実施の形態２と同一もしくは同一と見なされる構成要素には、それと同じ参照符号を付けて、その説明を省略する。
【００５５】
図１４のクロージャ２０は、実施の形態２で用いられている光分岐器２２Ａ〜オンオフスイッチ２２Ｅと表示装置３０とに加えて、光分岐器２３Ａと波長多重フィルタ２３Ｂとを備えている。光分岐器２３Ａは光分岐器２２Ａと同じものである。つまり、光分岐器２３Ａは、１番目の光ファイバ２０１２１を伝送する識別光であって、制御局または前段のクロージャ２０からの識別光を受光すると、この光を分岐し、後段に接続されている１番目の光ファイバ２０１２１を用いて、一方の識別光を後段のクロージャ２０に送る。また、光分岐器２３Ａは、他方の識別光を波長多重フィルタ２３Ｂに送る。
【００５６】
波長多重（ＷＤＭ：Ｗａｖｅｌｅｎｇｔｈ  Ｄｉｖｉｓｉｏｎ  Ｍｕｌｔｉｐｌｅｘ）フィルタ２３Ｂは、クロージャ２０に割り当てられている波長の識別光を分波して、光分岐器２２Ａに送る。こうした波長多重フィルタ２３Ｂとしては、例えば誘電体多層膜フィルタがある。
【００５７】
制御局の表示制御装置１０では、実施の形態２の光源１１Ａおよび光切り替えスイッチ１１Ｂの代わりに、図１５に示すように、光源１３Ａが用いられている。光源１３Ａは、クロージャ２０１〜２０ｎを指定するための操作部（図示を省略）を備えている。操作部によりクロージャ２０１〜２０ｎの１つが指定されると、光源１３Ａは、このクロージャに対応する波長の識別光を、接続ユニット１Ａに出力する。なお、光源１３Ａの操作部はスイッチ１２Ａの操作部と連動するようにしてもよい。
【００５８】
次に、実施の形態３による作業対象クロージャの表示システムを用いた、作業対象クロージャの表示方法について説明する。例えばクロージャ２０２に対して作業を行う場合、作業者が現場に到着する前に、光源１３Ａからの波長λ２の識別光が接続ユニット１Ａに出力されるように、制御局の担当者が光源１３Ａの操作部を操作し、また、クロージャ２０２に接続されているｎ＋２番目の光ファイバ２０１２１が光電変換素子１２Ｂに接続されるように、光切り替えスイッチ１２Ａの操作部を操作する。これにより、光源１３Ａからの波長λ２の識別光は、接続ユニット１Ａ、幹線２Ａの未使用の２番目の光ファイバ２０１２１を経て、クロージャ２０２で受光される。
【００５９】
クロージャ２０２では、光分岐器２３Ａが識別光を分岐し、波長多重フィルタ２３Ｂが波長λ２の識別光を分波して、光分岐器２２Ａに出力する。この後の動作は、実施の形態２と同様であり、クロージャ２０２の開閉に応じて、表示装置３０が点灯し、制御局の表示装置１２Ｃが点灯する。
【００６０】
この実施の形態によれば、光ケーブルの１本の光ファイバ２０１２１を用いて識別光をクロージャ２０１〜２０ｎに伝えていくので、識別光を送るために利用する光ファイバ２０１２１を減らすことができる。
【００６１】
（実施の形態４）
先に述べた各実施の形態では、応答光を伝送するためにｎ＋１番目〜２ｎ番目の光ファイバ２０１２１を用いたが、この実施の形態では、光多重化により１本の光ファイバ２０１２１、例えば２ｎ番目の光ファイバ２０１２１を利用して、実施の形態２および実施の形態３と同様の機能を実現する。このために、この実施の形態によるクロージャ２０は図１６に示す構造になる。なお、この実施の形態では、先に説明した実施の形態１〜実施の形態３と同一もしくは同一と見なされる構成要素には、それと同じ参照符号を付けて、その説明を省略する。
【００６２】
図１６のクロージャ２０は、実施の形態３の構造に対して、さらに光分岐器２４Ａを備えている。光分岐器２４Ａは、光分岐器２２Ａと同じものである。つまり、光分岐器２４Ａには光分岐器２２Ｂからの応答光が入射される。これにより、光分岐器２４Ａは、前段に接続されている２ｎ番目の光ファイバ２０１２１に、光分岐器２２Ｂからの応答光を合波し、２ｎ番目の光ファイバ２０１２１を経て、次段のクロージャまたは制御局に送る。
【００６３】
制御局の表示制御装置１０では、実施の形態３の制御局に対して、図１７に示すように、さらに波長多重フィルタ１４Ａを備える構成である。波長多重フィルタ１４Ａは、波長多重フィルタ２３Ｂと同じものであるが、この実施の形態では、波長λ１、λ２、…、λｎに対応する端子１２Ａ１〜１２Ａｎを備えている。そして、多重化された応答光を接続ユニット１Ａから受光すると、この応答光を分波して、端子１２Ａ１〜１２Ａｎの中の該当する端子に応答光を送る。
【００６４】
次に、実施の形態３による作業対象クロージャの表示システムを用いた、作業対象クロージャの表示方法について説明する。例えばクロージャ２０２に対して作業を行う場合、実施の形態３と同様にして、クロージャ２０２の開閉に応じて、表示装置３０が点灯する。一方、応答光は光分岐器２４Ａによって合波されて、前段のクロージャ２０１に送られる。
【００６５】
制御局では、波長多重フィルタ１４Ａが接続ユニット１Ａから応答光を受光する。波長多重フィルタ１４Ａは、受光した応答光を分波して、端子１２Ａ１〜１２Ａｎの中の該当する端子に応答光を送る。この後、実施の形態３と同様にして、クロージャ２０２の開閉に応じて表示装置１２Ｃが点灯する。
【００６６】
この実施の形態によれば、光ケーブルの１本の光ファイバ２０１２１を用いて識別光をクロージャ２０１〜２０ｎに送ると共に、１本の光ファイバ２０１２１を用いて応答光を制御局に送るので、識別光および応答光を送るために利用する光ファイバ２０１２１を２本にすることができる。つまり、識別光および応答光を送るために利用する光ファイバ２０１２１の数を大幅に減らすことができる。
【００６７】
（実施の形態５）
この実施の形態では、先に述べた実施の形態１の光伝送路網を、１本の光ファイバ２０１２１、例えば１番目の光ファイバ２０１２１を用いて構成する。なお、この実施の形態では、先に説明した実施の形態１および実施の形態２と同一もしくは同一と見なされる構成要素には、それと同じ参照符号を付けて、その説明を省略する。この実施の形態では、図１８に示すように、制御局では接続ユニット１Ａに対して光源１３Ａを接続する。また、クロージャ２０では、１番目の光ファイバ２０１２１を伝送する識別光であって、制御局または前段のクロージャ２０からの識別光を光分岐器２３Ａが受光すると、この光を分岐して波長多重フィルタ２３Ｂに送る。波長多重フィルタ２３Ｂはクロージャ２０に割り当てられている波長の識別光を分波して、表示装置３０に送る。
【００６８】
この実施の形態によれば、実施の形態１と同様の効果を１本の光ファイバを用いて達成することができ、利用する光ファイバの本数を減らすことができる。
【００６９】
以上、この発明の各実施の形態を詳述してきたが、具体的な構成は各実施の形態に限られるものではなく、この発明の要旨を逸脱しない範囲の設計の変更等があっても、この発明に含まれる。例えば、図１の光ケーブル網２の構成には、各種の形態があり、すべての光ケーブル網に対して、この発明は利用可能である。
【符号の説明】
【００７０】
１  局側装置
２  光ケーブル網（第１の光伝送路網、第２の光伝送路網）
２Ａ  幹線
２Ｂ  分岐線
２０１２  心線
２０１２１  光ファイバ
１０  表示制御装置
１１Ａ  光源
１１Ｂ  光切り替えスイッチ（選択手段）
２０  クロージャ
３０  表示装置
【図１】
2010199948.tif 000003
【図２】
2010199948.tif 000004
【図３】
2010199948.tif 000005
【図４】
2010199948.tif 000006
【図５】
2010199948.tif 000007
【図６】
2010199948.tif 000008
【図７】
2010199948.tif 000009
【図８】
2010199948.tif 000010
【図９】
2010199948.tif 000011
【図１０】
2010199948.tif 000012
【図１１】
2010199948.tif 000013
【図１２】
2010199948.tif 000014
【図１３】
2010199948.tif 000015
【図１４】
2010199948.tif 000016
【図１５】
2010199948.tif 000017
【図１６】
2010199948.tif 000018
【図１７】
2010199948.tif 000019
【図１８】
2010199948.tif 000020